(57)【特許請求の範囲】
【請求項１】
地山の地下空間の予定領域を複数の小口径シールドトンネルで取り囲み、地下空間の外殻を形成した後、地山を掘削する工法において、
前記地下空間の予定領域に先行の大口径シールドトンネルを掘進し、又は前記地下空間の予定領域に向けて先行の大口径シールドトンネルを延伸し、
前記先行の大口径シールドトンネルの坑内からシールド工法又は推進工法による機械施工により前記先行の大口径シールドトンネルの上方及び／又は下方に向けて直進的に所定の長さまで円筒形に地中内立坑を掘削して、小口径シールド掘削機の発進基地を構築し、前記発進基地に複数の小口径シールド掘削機を上下方向に階層的に配備し、前記発進基地から前記各小口径シールド掘削機を前記発進基地全周方向任意の方向に発進して前記複数の小口径シールドトンネルを構築する、
ことを特徴とするマルチパスシールド工法。
【請求項２】
発進基地から発進した各小口径シールド掘削機は、小口径シールドトンネルの掘削後、前記小口径シールドトンネルの端部に主要な機械部分を分解撤去して残置する請求項１に記載のマルチパスシールド工法。
【請求項３】
各小口径シールド掘削機の到達地点として、先行の大口径シールドトンネルの坑内からシールド工法又は推進工法による機械施工により前記先行の大口径シールドトンネルの上方及び／又は下方に向けて直進的に地中内立坑を掘削して複数の小口径シールド掘削機を到達させるための到達基地を構築し、発進基地から発進した各小口径シールド掘削機を、小口径シールドトンネルの掘削後、前記到達基地に前記到達基地全周方向任意の方向から到達させて回収する請求項１に記載のマルチパスシールド工法。
【請求項４】
発進基地と到達基地との間の中間地点に、先行の大口径シールドトンネルの坑内からシールド工法又は推進工法による機械施工により前記先行の大口径シールドトンネルの上方及び／又は下方に向けて直進的に地中内立坑を掘削して複数の小口径シールド掘削機を中継する中継基地を構築し、発進基地から発進した小口径シールド掘削機を前記中継基地を中継して小口径シールドトンネルを掘削する請求項１に記載のマルチパスシールド工法。
【請求項５】
地中内立坑の掘削は、先行の大口径シールドトンネル内でシールド掘進機、推進機を含む先端にカッタヘッドを有する掘進機をトンネル内壁に向けて筒形構造の架台を介して設置する工程と、前記架台の周囲複数の箇所に推進用ジャッキを前記地中内立坑の掘削方向に伸縮可能に設置し、前記掘進機と前記各推進用ジャッキとの間にセグメントを略筒状に組み立てる工程と、前記掘進機のカッタヘッドを回転駆動し、前記各推進用ジャッキを伸長させて、前記掘進機を前記セグメントとともに推進して前記地中孔を掘削し、前記セグメントの継ぎ足しと前記各推進用ジャッキの伸長を繰り返して、前記地中内立坑を所定の長さまで掘削する工程とにより行う請求項１乃至４のいずれかに記載のマルチパスシールド工法。
【発明の詳細な説明】
【技術分野】
【０００１】
本発明は、道路トンネルの分岐・合流部や鉄道トンネルの上下線のわたり線部、本線側線の分岐・合流部など、断面の大きさや形状が変化するような地下空間を構築する際の、仮設の先受け工として、複数の小口径シールド掘削機又は小口径推進器などにより、地下空間の予定領域を取り囲むように仮設又は本設の複数の小口径シールドトンネル（ルーフシールドトンネルともいう。）を施工する工法に適用するマルチパスシールド工法に関する。
【背景技術】
【０００２】
都市地盤に代表される地下水が豊富な未固結地盤中において、道路トンネルの分岐・合流部や鉄道トンネルの上下線のわたり線部、本線側線の分岐・合流部など、断面の大きさや形状が変化するような地下空間を施工する場合、従来は、地上からの開削工法により施工することが多かったが、近時は、地上の交通や周辺住民などへの影響を最小限に抑えるため、非開削による各種の工法が行われている。
例えば、道路トンネルにおいて、一つの本線トンネルにランプトンネルをすりつけ、その分合流区間で両トンネルを地中で拡幅し、切り拡げて接合する場合など、地中に並設した複数の大口径シールドトンネルの間を地中で切り拡げて大断面のトンネル空間を構築する際には、従来は、地中の切り拡げ部にパイプルーフなどにより機械的な仮設構造物あるいは仮設の先受け防護壁を設ける方法や、地盤改良工法や凍結工法によってこれを先受け防護壁とする方法が用いられてきた。
パイプルーフを設置する場合、パイプルーフの発進基地として大規模な空間を掘削、構築する必要があるが、一般に地下水が豊富な都市地下地盤のような地盤においては、施工時に、地盤改良工法や凍結工法などの地下水対策が必要となる。また、パイプルーフの発進基地として、地上からの立坑を新たに構築することも考えられるが、この場合、地上での施工用地の確保が必要となる。パイプルーフを設置する場合、そのトンネル延長がせいぜい百数十ｍであり、より延長の長い大規模な空間の構築では実績で劣る可能性がある。
地盤改良工法や凍結工法を採る場合は、地下水が多い地盤で規模が大きくなると、改良、凍結する領域が増大し、多くのコストと時間を要することとなり、さらに、信頼性が低下する懸念がある。
【０００３】
そこで、近年は、断面の大きさや形状が変化するような地下空間を施工する工法として、地山の地下空間の予定領域を複数の小口径シールドトンネルで取り囲み、地下空間の外殻を形成した後、地山を掘削する工法が提案されている。その一例が特許文献１に開示されている。
この文献１の工法では、複数の小断面トンネルの側面間を連結した小断面トンネル群によって地山を囲繞し、その囲繞された地山を掘削して地中構造物を構築する。
特に、この方法では、シールド掘削機を掘進させて先行トンネルを構築し、その先行トンネルの周面の２箇所から先行トンネルから離隔する方向に２本の枝トンネルを構築し、その２本の枝トンネルのそれぞれの周面の間隔を置いた複数の位置から複数の並行する小断面トンネルを構築するための小断面シールド掘削機を発進させ、小断面トンネルが所定の位置に到達したところで小断面シールド掘削機を折り返させて略Ｕ字形の小断面トンネルを複数構築して小断面トンネル群を形成する。
この場合、２本の枝トンネルは、先行トンネルの鋼製セグメントの互いに対向する上面及び下面に設けられた開口部から円弧状に上方又は下方に向けて延伸する。なお、 この枝トンネルはこのトンネルの内部から、小口径シールド掘削機を発進させるため、すべての小口径シールド掘削機が発進できるような長さになるまで延伸する。この枝トンネルの内部から、この枝トンネルの軸方向に直交する方向に向けて略水平に小口径シールド掘削機を発進させて、この小断面シールド掘削機により、複数の小口径トンネルを略平行に構築し、これらの小口径トンネルによって構成される断面視楕円状の小口径トンネル群によって地山を囲繞する。
【先行技術文献】
【特許文献】
【０００４】
【特許文献１】特開２００７−２２４５３２
【発明の概要】
【発明が解決しようとする課題】
【０００５】
ところで、特許文献１の工法では、「先行トンネルの周面の２箇所から先行トンネルから離隔する方向に２本の枝トンネルを構築し、その２本の枝トンネルのそれぞれの周面の間隔を置いた複数の位置から複数の並行する小断面トンネルを構築する。」として、「この２本の枝トンネルを先行トンネルの鋼製セグメントの互いに対向する上面及び下面に設けられた開口部から円弧状に上方又は下方に向けて延伸」させているが、先行トンネルの開口から地山を掘削した直後に枝トンネルの急曲線施工を行うことはこれまでのところまだ実績がなく、現実性に乏しい、と考えられる。また、この文献１には、「２本の枝トンネルは、先行トンネルの鋼製セグメントの互いに対向する上面及び下面に設けられた開口部から円弧状に上方又は下方に向けて延伸する。」と記載されているものの、この枝トンネルについて大きさや円弧の曲線半径などの具体的な記載がなく、円弧において曲線半径のかなり小さい急曲線施工を行うことが前提になるとみられる。しかしながら、その施工方法の具体的な記載がなく、現実にそのような急曲線施工を行うことができるか否かが不明で、技術面で、例えば、曲線施工特有のシールドジャッキの片推しによるトンネルの変形や線形確保の困難さなど、安全面で、例えば、トンネル変形に伴い発生する目開き、目違い箇所からの出水など、課題が多いものと考えられる。
【０００６】
本発明は、このような従来の問題を解決するもので、この種の工法（仮設の先受け工として、複数の小口径シールド掘削機などにより、地下空間の予定領域を取り囲むように仮設又は本設の複数の小口径シールドトンネルを施工する工法）において、小口径シールド機を発進、到達させるための作業空間を安全かつ確実に施工すること、地下空間の形状に制限が少なく、地中にさまざまな空間を構築し得る複数の小口径シールドトンネルを形成することなど、を目的とする。
【課題を解決するための手段】
【０００７】
上記目的を達成するために、本発明は、
地山の地下空間の予定領域を複数の小口径シールドトンネルで取り囲み、地下空間の外殻を形成した後、地山を掘削する工法において、
前記地下空間の予定領域に先行の大口径シールドトンネルを掘進し、又は前記地下空間の予定領域に向けて先行の大口径シールドトンネルを延伸し、
前記先行の大口径シールドトンネルの坑内からシールド工法又は推進工法による機械施工により前記先行の大口径シールドトンネルの上方及び／又は下方に向けて直進的に所定の長さまで円筒形に地中内立坑を掘削して、小口径シールド掘削機の発進基地を構築し、前記発進基地に複数の小口径シールド掘削機を上下方向に階層的に配備し、前記発進基地から前記各小口径シールド掘削機を前記発進基地全周方向任意の方向に発進して前記複数の小口径シールドトンネルを構築する、
ことを要旨とする。
【０００８】
このマルチパスシールド工法はさらに次のように具体化される。
（１）発進基地から発進した各小口径シールド掘削機は、小口径シールドトンネルの掘削後、前記小口径シールドトンネルの端部に主要な機械部分を分解撤去して残置する。
（２）各小口径シールド掘削機の到達地点として、先行の大口径シールドトンネルの坑内からシールド工法又は推進工法による機械施工により前記先行の大口径シールドトンネルの上方及び／又は下方に向けて直進的に地中内立坑を掘削して複数の小口径シールド掘削機を到達させるための到達基地を構築し、発進基地から発進した各小口径シールド掘削機を、小口径シールドトンネルの掘削後、前記到達基地に前記到達基地全周方向任意の方向から到達させて回収する。
（３）発進基地と到達基地との間の中間地点に、先行の大口径シールドトンネルの坑内からシールド工法又は推進工法による機械施工により前記先行の大口径シールドトンネルの上方及び／又は下方に向けて直進的に地中内立坑を掘削して複数の小口径シールド掘削機を中継する中継基地を構築し、発進基地から発進した小口径シールド掘削機を前記中継基地を中継して小口径シールドトンネルを掘削する。
（４）地中内立坑の掘削は、先行の大口径シールドトンネル内でシールド掘進機、推進機を含む先端にカッタヘッドを有する掘進機をトンネル内壁に向けて設置する工程と、前記掘削機の反力架台を組み立て、当該架台の周囲複数の箇所に推進用ジャッキを前記地中内立坑の掘削方向に伸縮可能に設置して、前記掘進機と各推進用ジャッキとの間にセグメントを略筒状に組み立てる工程と、前記掘進機のカッタヘッドを回転駆動し、前記各推進用ジャッキを伸長させて、前記掘進機を前記セグメントとともに推進して前記地中内立坑を掘削し、前記セグメントの継ぎ足しと前記各推進用ジャッキの伸長を繰り返して、前記地中内立坑を所定の長さまで掘削する工程とにより行う。
【発明の効果】
【０００９】
本発明のマルチパスシールド工法によれば、次のような本発明独自の格別な効果を奏する。
（１）地山の地下空間の予定領域を複数の小口径シールドトンネルで取り囲み、地下空間の外殻を形成した後、地山を掘削する工法において、先行の大口径シールドトンネルの坑内からシールド工法又は推進工法による機械施工により先行の大口径シールドトンネルの上方及び／又は下方に向けて直進的に所定の長さまで円筒形に地中内立坑を掘削して小口径シールド掘削機の発進基地を構築するので、豊富な地下水環境下でも、大口径シールドトンネルと地中内立坑との接続部に止水のための注入のみを行えばよく、大規模な地盤改良工や凍結工を不要にして、小口径シールド掘削機を発進させるための作業空間を安全な施工で確保することができる。
（２）地中での、大口径シールドトンネルの上方及び／又は下方に向けての施工になるので、地上の用地の確保が不要である。
（３）上部及び／又は下部の発進基地に複数の小口径シールド掘削機を上下方向に階層的に配備し、この発進基地から各小口径シールド掘削機を発進基地全周方向任意の方向に発進して、複数の小口径シールドトンネルを構築するので、小口径シールドトンネルの本数、配置を自由に選択することができ、大断面トンネルの形状に制限が少なく、地中にさまざまな空間を構築することができる。
【図面の簡単な説明】
【００１０】
【図１】本発明の一実施の形態によるマルチパスシールド工法の概要を示す図
【図２】同工法の施工手順を示す図
【図３】同工法の特に地中内立坑の掘削工程を示す図
【図４】同工法の特に地中内立坑の掘削工程を示す図
【図５】同工法において先行トンネル（大口径シールドトンネル）の径を基準として例示する上下部の地中内立坑の大きさを示す図
【図６】同工法において上下部の地中内立坑に複数の小口径シールド掘削機を上下方向に階層的に配備し、発進させるときの状況を示す図
【発明を実施するための形態】
【００１１】
次に、この発明の実施の形態について図を用いて説明する。
このマルチパスシールド工法は、地山の地下空間の予定領域（以下、単に予定施工領域という。）を複数の小口径シールドトンネルで取り囲み、地下空間の外殻を形成した後、地山を掘削する工法に適用され、予定施工領域に先行トンネルを掘進し、又は予定施工領域に向けて先行トンネルを延伸し、先行の大口径シールドトンネルの坑内からシールド工法又は推進工法による機械施工により先行の大口径シールドトンネルの上方及び／又は下方に向けて直進的に地中内立坑を掘削して複数の小口径シールド掘削機を上下方向に階層的に配備し、発進させるための発進基地を構築し、発進基地から各小口径シールド掘削機を発進基地全周方向任意の方向に発進して、先受け、防護壁となる複数の小口径シールドトンネルを構築するものである。
【００１２】
図１に地中に並行に掘削した２本の大口径シールドトンネルの間を地中で切り拡げて大断面のトンネル空間を構築する際の、仮設の先受け工として、複数の小口径シールド掘削機により、大断面のトンネル空間の予定領域を取り囲むように複数の小口径シールドトンネルを施工するマルチシールド工法の概要を示し、図２にその具体的な施工手順を示している。以下、このマルチシールド工法についてその施工手順（ステップ１−３）に基づいて具体的に説明する。
【００１３】
（ステップ１）
先ず、図２（１）に示すように、大口径シールドトンネルＴ１を施工する。
この場合、大口径シールド掘削機Ｍ１により、地中の予定施工領域Ｓの両側まで延伸された各大口径シールドトンネルＴ１、Ｔ２の一方、この場合、Ｔ１を、先行トンネルとして、地中の予定施工領域Ｓに掘進する。
【００１４】
（ステップ２）
次に、図２（２）に示すように、先行の各大口径シールドトンネルＴ１の坑内からシールド工法又は推進工法による機械施工により先行の各大口径シールドトンネルＴ１の上方及び下方に向けて直進的に地中内立坑Ｔ３、Ｔ４を掘削し、複数の小口径シールド掘削機を上下方向に階層的に配備し、発進させるための発進基地Ｔ３、Ｔ４を構築する。
この場合、地中内立坑Ｔ３、Ｔ４の掘削は、図３、図４に示すように、次の工程（１）−（３）により行う。
（１）先行の大口径シールドトンネルＴ１内でシールド掘進機、推進機を含む先端にカッタヘッドを有する掘進機Ｍ３、Ｍ４をトンネルＴ１内壁に向けて設置する工程
図３（１）−（４）に示すように、この工程では、先行の大口径シールドトンネルＴ１の坑内で地中の予定施工領域Ｓの手前に当たる所定の位置を掘進機Ｍ３、Ｍ４の発進箇所として開放する。また、この工程に当たり、トンネルＴ１と地中内立坑Ｔ３、Ｔ４との接続部となる位置に止水剤を注入するなど小規模な地盤改良を行う。なお、止水のための注入でよく、大規模な地盤改良工や凍結工は不要である。
そして、この工程では、まず、トンネルＴ１の坑内の下部に発進坑口１を取り付けて、この坑口１に掘進機Ｍ３をカッタヘッドを下方に向けて設置する。続いて、トンネルＴ１の坑内の下部に発進坑口２を取り付けて、この坑口２に掘進機Ｍ４をカッタヘッドを上方に向けて仮受け部材を介して設置する。
（２）掘進機Ｍ４又はＭ３の反力架台３を組み立て、この架台３の周囲複数の箇所に推進用ジャッキ４を地中内立坑Ｔ４又はＴ３の掘削方向に伸縮可能に設置して、掘進機Ｍ４又はＭ３と各推進用ジャッキ４との間にセグメント５を略筒状に組み立てる工程
図３（５）、（６）に示すように、この工程では、上下の各掘進機Ｍ３、Ｍ４間に略円筒構造の反力架台３を組み立て、その内周に複数の推進用ジャッキ４を伸縮ロッドを上方に向けて伸縮可能に取り付けて、上部の掘進機Ｍ４と各推進用ジャッキ４との間に推進用セグメント５を組み立てる。この場合、発進坑口１、２のエントランスパッキン６に高水圧対応のチューブ式パッキンを２段配置して、掘進機Ｍ３、Ｍ４発進時の止水性を確保する。エントランスパッキン６は実績が多数あり、信頼性は高い。また、発進坑口１、２内の発進部は直接切削セグメント（ＦＦＵセグメント）７で覆工しておくことにより、掘進機Ｍ３、Ｍ４のカッタビットで直接切削できるようにする。これにより、鏡切りは不要であり、大規模な薬液注入などの坑口防護が不要である。
（３）各掘進機Ｍ３、Ｍ４のカッタヘッドを各別に回転駆動し、各推進用ジャッキ４を伸長させて、各掘進機Ｍ３、Ｍ４をセグメント５とともに推進して地中内立坑Ｔ３、Ｔ４を掘削し、セグメント５の継ぎ足しと各推進用ジャッキ４の伸長を繰り返して、地中内立坑Ｔ３、Ｔ４を所定の長さまで掘削する工程
図４（７）−（１０）に示すように、この工程では、まず、上部の掘進機Ｍ４のカッタヘッドを回転させてこのトンネルＴ１の坑内上部から上部地山を掘削するとともに、反力架台３の各推進ジャッキ４により推進反力を取り、この推進ジャッキ４の反力を反力架台３と坑口２で受けて、上部地山を鉛直上方向に直進的に掘進する。この掘進機Ｍ４の発進時、掘進機Ｍ４はトンネルＴ１の坑内から上部の直接切削セグメント（ＦＦＵセグメント）７に対して直角に進入し切削していくので、直接切削セグメント７をスムーズに切削することができる。そして、各推進用ジャッキ４の反力をコンクリートで受けることで、十分な推進反力を期待することができる。このようにして上部の掘進機Ｍ４が上部地山を所定の距離掘削する毎に、掘進機Ｍ４下部のセグメント５と各推進用ジャッキ４との間に推進用セグメント５を組み立て、この地山の掘削とセグメント５の組み立てを繰り返して、上部地山に円筒形の地中内立坑Ｔ４を構築し、２機又は３機の小口径シールド掘削機を上下方向に階層的に配備し、発進させるための上部発進基地Ｔ４を築造する。続いて、反力架台３の各推進用ジャッキ４を反転して付け替え、同様に、下部の掘進機Ｍ３のカッタヘッドを回転させてこのトンネルＴ１の坑内下部から下部地山を掘削し、下部地山を鉛直下方向に直進的に掘進する。この掘進機Ｍ３の発進時も、同様に、掘進機Ｍ３はトンネルＴ１の坑内から下部の直接切削セグメント（ＦＦＵセグメント）７に対して直角に進入し切削していくので、直接切削セグメント７をスムーズに切削することができる。そして、推進用ジャッキ４の反力をコンクリートで受けることで、十分な推進反力を期待することができる。このようにして掘進機Ｍ３が下部地山を所定の距離掘削する毎に、掘進機Ｍ３上部のセグメント５と各推進用ジャッキ４との間に推進用セグメント５を組み立て、この地山の掘削とセグメント５の組み立てを繰り返して、下部地山に円筒形の地中内立坑Ｔ３を構築し、１機又は２機の小口径シールド掘削機を上下方向に階層的に配備し、発進させるための下部発進基地Ｔ３を築造する。なお、図５に、大口径シールドトンネルＴ１の直径を１１ｍとした場合の上下部の地中内立坑Ｔ３、Ｔ４の概略寸法を示す。また、これら上下部の発進基地Ｔ３、Ｔ４の築造に当たり、各地中内立坑Ｔ３、Ｔ４と次のステップで施工する小口径シールドトンネルＴ５との接続部となる位置に止水剤を注入するなど小規模な地盤改良を行う。なお、止水のための注入でよく、大規模な地盤改良工や凍結工は不要である。また、各地中内立坑Ｔ３、Ｔ４において各小口径シールド掘削機Ｍ５の発進部に直接切削セグメント８を設置しておく。これにより、鏡切りを不要とする。そして、各小口径シールド掘削機Ｍ５の発進坑口９にエントランスパッキン１０を配置して、各小口径シールド掘削機Ｍ５の発進時の止水性を確保する。
【００１５】
（ステップ３、４）
続いて、図２（３）、（４）に示すように、各発進基地Ｔ３、Ｔ４より小口径シールド掘削機Ｍ５を発進させて予定施工領域Ｓの周囲に先受け防護壁となる複数の小口径シールドトンネルＴ５を施工する。なお、この地中の各発進基地Ｔ３、Ｔ４から小口径シールド掘削機Ｍ５を発進させる方法は、セグメントで構築された円形立坑と同様であり、実績は多数ある。
図６に示すように、この工程では、先行の大口径シールドトンネルＴ１からクレーンにより順次小口径シールド掘削機Ｍ５をステージ１１に載せて吊り上げ、各発進基地Ｔ３、Ｔ４において発進部に対応する所定の高さに吊り上げ又は吊り降ろし、各小口径シールド掘削機Ｍ５のカッタヘッドを所定の発進部に向けてステージ１１を地中立坑Ｔ３、Ｔ４の内周（鋼製セグメント）に固定し、各小口径シールド掘削機Ｍ５を階層状に（発進高さをずらして）配備する。なお、この場合、小口径シールド掘削機Ｍ５はφ２ｍ級で、中折れを有する。このようにして上部発進基地Ｔ４で２段又は３段のステージ１１を組み、２機又は３機の小口径シールド掘削機Ｍ５を上下に高さを変えて配備し、下部発進基地Ｔ３で１段又は２段のステージ１１を組み、１機又は２機の小口径シールド掘削機Ｍ５を上下に高さを変えて配備して、これらのステージ１１から各小口径シールド掘削機Ｍ５を発進基地Ｔ３、Ｔ４全周方向任意の方向、同じ又は異なる方向に水平方向に向かって同時又は異時発進して、施工を開始し（ステップ３）、予定施工領域Ｓの周囲に沿って掘進していく（ステップ４）。この場合、小口径シールド掘削機Ｍ５の発進位置が上下に異なるので、複数の小口径シールド掘削機Ｍ５を同時又は順次に発進させることで、複数のシールドトンネルＴ５の同時施工が可能である。また、小口径シールドトンネルＴ５の急曲線施工では、例えばφ２ｍ級であれば、曲線半径１０ｍ程度までは従来技術で施工可能である。また、この場合、各発進基地Ｔ３、Ｔ４から発進した各小口径シールド掘削機５は、小口径シールドトンネルＴ５を所定の距離まで掘削した後、小口径シールドトンネルＴ５の終端部に主要な機械部分を分解撤去して残置する。
【００１６】
（ステップ５）
以上により、図２（５）に示すように、地中の予定施工領域Ｓの周囲に所定の本数、距離の小口径シールドトンネルＴ５を配置して施工を完了する。なお、大口径シールドトンネルの他方（Ｔ２）は、上部、下部の各発進基地Ｔ３、Ｔ４、各発進基地Ｔ３、Ｔ４から発進する小口径シールドトンネルＴ５の施工と並行して施工可能であり、並行して施工することにより、工期の短縮を図ることが可能である。
【００１７】
以上説明したように、このマルチパスシールド工法によれば、地中の予定施工領域Ｓを複数の小口径シールドトンネルＴ５で取り囲み、地下空間の外殻を形成した後、地山を掘削する工法において、先行の大口径シールドトンネルＴ１の坑内からシールド工法又は推進工法による機械施工により先行の大口径シールドトンネルＴ１の上方及び下方に向けて直進的に地中内立坑Ｔ３、Ｔ４を掘削して複数の小口径シールドトンネルＴ５を発進させるための発進基地Ｔ３、Ｔ４を構築するので、豊富な地下水環境下でも、大口径シールドトンネルＴ１と地中内立坑Ｔ３、Ｔ４との接続部に止水のための注入のみを行えばよく、大規模な地盤改良工や凍結工を不要にして、小口径シールドトンネルＴ５を発進、到達させるための作業空間を安全な施工で確保することができる。また、地中での施工になるので、地上の用地の確保が不要である。
そして、発進基地Ｔ３、Ｔ４に複数の小口径シールド掘削機Ｍ５を上下方向に階層的に、つまり、上下に高さを変えて配備し、この発進基地Ｔ３、Ｔ４から全周方向任意の方向に発進して、防護壁となる複数の小口径シールドトンネルＴ５を構築するので、小口径シールドトンネルＴ５の本数、配置を自由に選択することができ、大断面トンネルの形状に制限が少なく、地中にさまざまな空間を構築することができる。
【００１８】
この実施の形態では、各発進基地Ｔ３、Ｔ４から発進した各小口径シールド掘削機Ｍ５を、小口径シールドトンネルＴ５を所定の距離まで掘削した後、小口径シールドトンネルＴ５の終端部に主要な機械部分を分解撤去して残置する場合を例示したが、各小口径シールド掘削機Ｍ５の到達地点として、先行の大口径シールドトンネルＴ１の坑内からシールド工法又は推進工法による機械施工により先行の大口径シールドトンネルの上方及び／又は下方に向けて直進的に地中内立坑を掘削して複数の小口径シールド掘削機を到達させるための到達基地を構築し、発進基地Ｔ３、Ｔ４から発進した各小口径シールド掘削機Ｍ５を、小口径シールドトンネルＴ５の掘削後、到達基地に到達基地全周方向任意の方向から到達させて回収するようにしてもよい。
さらに、これら発進基地と到達基地との間の中間地点に、先行の大口径シールドトンネルの坑内からシールド工法又は推進工法による機械施工により先行の大口径シールドトンネルの上方及び／又は下方に向けて直進的に地中内立坑を掘削して複数の小口径シールド掘削機を中継する中継基地を構築し、発進基地から発進した小口径シールド掘削機を中継基地を中継して小口径シールドトンネルを掘削し、各小口径シールド掘削機を、中径基地又は到達基地に到達させて回収するようにしてもよい。
【符号の説明】
【００１９】
Ｓ  地下空間の予定領域（予定施工領域）
Ｔ１  大口径シールドトンネル
１  発進坑口
２  発進坑口
３  反力架台
４  推進用ジャッキ
５  セグメント
６  エントランスパッキン
７  直接切削セグメント（ＦＦＵセグメント）
Ｔ２  大口径シールドトンネル
Ｔ３  地中内立坑（発進基地）
Ｔ４  地中内立坑（発進基地）
Ｔ５  小口径シールドトンネル
８  直接切削セグメント（ＦＦＵセグメント）
９  発進坑口
１０  エントランスパッキン
１１  ステージ
Ｍ１  大口径シールド掘削機
Ｍ２  大口径シールド掘削機
Ｍ３  掘進機
Ｍ４  掘進機
Ｍ５  小口径シールド掘削機
【図１】
0006680576.tif 000002
【図２】
0006680576.tif 000003
【図３】
0006680576.tif 000004
【図４】
0006680576.tif 000005
【図５】
0006680576.tif 000006
【図６】
0006680576.tif 000007